(57)【要約】      （修正有）【課題】閉鎖型泡ヘッドを設置した防火領域と、開放型泡ヘッドを設置した防火領域を併設する泡消火設備において各防火領域への配管及び流水検知装置を兼用して設備コストを低減する。【解決手段】閉鎖型泡ヘッドと開放型泡ヘッドを分岐管、に取り付け、加圧送水装置から流水検知装置の一次側までの配管系統に小流量型混合器と大流量型混合器とを並列に設置し、小流量型混合器の二次側と流水検知装置との間には常開型電動弁を設けて常時、小流量型混合器に泡水溶液を流し、大流量型混合器の二次側と流水検知装置との間には常閉型電動弁を設け、小流量型混合器には差圧スイッチを設置し、小流量型混合器内の流量が或る流量以上に増加したとき差圧スイッチが検出し、この検出信号を消火システム制御盤に送り、該制御盤は常閉型電動弁を開くと同時に常開型電動弁を閉じて、該常閉型電動弁から泡水溶液を流水検知装置へ流す。【選択図】      図１
2005058493.tif 000002
【特許請求の範囲】
【請求項１】
閉鎖型泡ヘッドが設置された防火領域と開放型泡ヘッドが設置された防火領域の両方を有する一つの防火区域内での泡消火設備において、
消火水を加圧して給水本管に圧送する加圧送水装置と、前記給水本管の途中に設置され、前記加圧送水装置からの消火水と泡原液とを混合する泡消火薬剤混合装置と、前記給水本管に分岐接続された給水支管の途中に設置され、該給水支管内に前記泡消火薬剤混合装置からの泡水溶液が流動するときこの泡水溶液の流動を感知する流水検知装置と、を備えており、
前記閉鎖型泡ヘッドと前記開放型泡ヘッドが前記流水検知装置の二次側から分岐された分岐管にそれぞれ取り付けられており、
前記泡消火薬剤混合装置が、前記加圧送水装置から前記流水検知装置の一次側までの配管系統に並列に設置された小流量型混合器と大流量型混合器とからなり、前記流水検知装置と前記小流量型混合器の二次側との間に常開型電動弁を設け、前記流水検知装置と前記大流量型混合器の二次側との間に常閉型電動弁を設け、前記小流量型混合器に差圧スイッチを設置しており、前記加圧送水装置が起動したとき、前記常開型電動弁を通じて泡水溶液が前記小流量型混合器から前記流水検知装置の方へ流れ、前記小流量型混合器内の流量が或る流量以上に増加するとその流量増加を前記差圧スイッチが検出して前記常閉型電動弁を開き泡水溶液が前記大流量型混合器、前記常閉型電動弁を通じて前記流水検知装置の方へ流れると同時に、前記常開型電動弁が閉じるようにしてあることを特徴とする、泡消火設備。
【発明の詳細な説明】
【技術分野】
【０００１】
本発明は、閉鎖型の泡ヘッドと開放型の泡ヘッドの両方が設置された一つの防火区域（例えば駐車場）における泡消火設備に関する。
【背景技術】
【０００２】
閉鎖型泡ヘッドを使用した泡消火設備では、この閉鎖型泡ヘッドが設置された防火領域内においては火災発生地点近傍で火災を感知する泡ヘッドのみから泡水溶液が放出されるため、この設備に使用される泡消火薬剤混合装置は小流量のもの（以下、「小流量型混合器」という。）である（例えば、特許文献１参照）。これに対して、開放型の泡ヘッドを使用した泡消火設備では、火災発生時に一斉開放弁が起動しその防火区画に設置された全ての泡ヘッドから泡消火液が一斉に放出されるため、この設備に使用される泡消火薬剤混合装置は大流量のもの（以下、「大流量型混合器」という。）である（例えば、特許文献２参照）。
【０００３】
〔特許文献１〕  特開２００１−５７３号公報
〔特許文献２〕  特開平７−２６５４５６号公報（特に、〔０００７〕〜〔０００００１１〕、〔００２９〕〜〔００３８〕、図２、図４）
【発明の開示】
【発明が解決しようとする課題】
【０００４】
しかしながら、一つの防火区域内、例えば、一つの立体駐車場内において、上記閉鎖型泡ヘッドを設置した防火領域、例えば自走式駐車場と、上記開放型泡ヘッドを設置した防火領域、例えば機械式駐車場の双方を併設するには、小流量型混合器及び大流量型混合器のほかに、更に小流量型及び大流量型の各混合器から各防火領域への給水配管及び流水検知装置を各々個別に設置しなければならず、設備全体のコスト高を招いていた。
【０００５】
本発明は、上記問題を解決するためになされたもので、その目的とするところは、一つの防火区域内に閉鎖型泡ヘッドを設置した防火領域と、開放型泡ヘッドを設置した防火領域の双方を併設する泡消火設備において、小流量及び大流量の各混合器から各防火領域への配管及び流水検知装置の兼用化を可能にして設備コストの低減化を図れる泡消火設備を提供することにある。
【課題を解決するための手段】
【０００６】
本発明は、閉鎖型泡ヘッドが設置された防火領域と開放型泡ヘッドが設置された防火領域の両方を有する一つの防火区域内での泡消火設備において、消火水を加圧して給水本管に圧送する加圧送水装置と、前記給水本管の途中に設置され、前記加圧送水装置からの消火水と泡原液とを混合する泡消火薬剤混合装置と、前記給水本管に分岐接続された給水支管の途中に設置され、該給水支管内に前記泡消火薬剤混合装置からの泡水溶液が流動するときこの泡水溶液の流動を感知する流水検知装置と、を備えている。
そのうえで、本発明は、前記閉鎖型泡ヘッドと前記開放型泡ヘッドが前記流水検知装置の二次側から分岐された分岐管にそれぞれ取り付けられており、前記泡消火薬剤混合装置が、前記加圧送水装置から前記流水検知装置の一次側までの配管系統に並列に設置された小流量型混合器と大流量型混合器とからなり、前記流水検知装置と前記小流量型混合器の二次側との間に常開型電動弁を設け、前記流水検知装置と前記大流量型混合器の二次側との間に常閉型電動弁を設け、前記小流量型混合器に差圧スイッチを設置しており、前記加圧送水装置が起動したとき、前記常開型電動弁を通じて泡水溶液が前記小流量型混合器から前記流水検知装置の方へ流れ、前記小流量型混合器内の流量が或る流量以上に増加するとその流量増加を前記差圧スイッチが検出して前記常閉型電動弁を開き泡水溶液が前記大流量型混合器、前記常閉型電動弁を通じて前記流水検知装置の方へ流れると同時に、前記常開型電動弁が閉じるようにしてあることに特徴を有するものである。
【発明の効果】
【０００７】
閉鎖型泡ヘッドと開放型泡ヘッドは前記流水検知装置の二次側から分岐された分岐管にそれぞれ取り付け、泡消火薬剤混合装置としては、加圧送水装置から流水検知装置の一次側までの配管系統に並列に設置された小流量型混合器と大流量型混合器とからなり、常時、小流量型混合器の二次側に設けた常開型電動弁を通じて泡水溶液が流水検知装置の方へ流れるようにし、小流量型混合器内の流量が或る流量以上に増加すると小流量型混合器に設置された差圧スイッチによりその流量増加を検出して大流量型混合器の二次側に設けた常閉型電動弁を開き該常閉型電動弁を通じて泡水溶液を流水検知装置の方へ流すと同時に、前記常開型電動弁を閉じるようにしてある。したがって、従来小流量及び大流量の各混合器から閉鎖型泡ヘッドを設置した領域と開放型泡ヘッドを設置した領域の各防火領域へ個別に設ける必要があった給水配管及び流水検知装置を兼用化でき、１本の給水配管及び１台の流水検知装置で足りることになり、それだけ泡消火設備全体のコストを著しく低減できる。
【発明を実施するための最良の形態】
【０００８】
以下、本発明を実施するための最良の形態を図面に基づき説明する。
図１は泡消火設備の構成図、図２は泡消火設備に使用する閉鎖型泡ヘッドの一例を閉鎖状態で示す縦断正面図、図３は同閉鎖型泡ヘッドを開放状態で示す縦断正面図である。
【０００９】
本発明に係る泡消火設備は、図１に示すように、一つの立体駐車場等防火区域内に、閉鎖型泡ヘッド１が設置される自走式駐車場等の防火領域Ａと、開放型泡ヘッド２が設置される機械式駐車場等の防火領域Ｂとを併設する泡消火設備であって、消火水を貯蔵する貯水槽３、加圧送水装置４、泡原液タンク５、泡消火薬剤混合装置６、流水検知装置（自動警報弁）７、消火ポンプ制御盤８、消火システム制御盤（火災受信機）９等から構成される。
【００１０】
図１において、加圧送水装置４は送水ポンプ１０とこれを駆動するモータ１１で構成され、送水ポンプ１０は貯水槽３から消火水を吸入し、吸入した消火水を加圧して給水本管１２に圧送する。送水ポンプ１０のモータ１１は消火ポンプ制御盤８により起動、停止される。
【００１１】
送水ポンプ１０の近傍の所定高さ位置には呼水槽１３が設置され、この呼水槽１３から送水ポンプ１０の吐出側に呼水供給管１４が接続されている。この呼水槽１３には水位センサ１５が設けられ、水位センサ１５の水位検出信号が消火ポンプ制御盤８に印加されて消火ポンプ制御盤８が満水警報（上限警報）と減水警報（下限警報）を出力するように構成されている。
【００１２】
給水本管１２の途中からは給水支管１６が分岐して接続され、給水支管１６には、この給水支管１６内に泡消火薬剤混合装置６からの泡水溶液が流動するときこの泡水溶液の流動を感知して火災警報を発する流水検知装置７が接続されている。
【００１３】
流水検知装置７の二次側には、閉鎖型泡ヘッド１の設置される防火領域Ａに配管される分岐管１７Ａと、開放型泡ヘッド２の設置される防火領域Ｂに配管される分岐管１７Ｂとが分岐接続される。
【００１４】
一方の分岐管１７Ａに取り付けられる下向きや上向きの閉鎖型泡ヘッド１は、例えば、特開２００１−５７３号公報、特開２００１−３４０４８１号公報、特開２００１−４６５４３、特開平７−３１６９１等に公知であり、ここではその一例を挙げて説明するのみとする。例えば、図２に示す閉鎖型泡ヘッド１は、分岐管１７Ａに接続される接続口部１８及び放出口１９を有する泡ヘッド本体２０と、放出口１９を塞ぐ弁２１と、平常時に弁２１を放出口１９に対し押し付け、火災時の熱により分解ないし溶解して弁に対する押し付け状態を解除する感熱作動部材２２と、放出口１９から放出される泡水溶にこの放出時に空気を取り込むか吸い込んで発泡する手段とを備えている。
平常状態では、泡ヘッド本体２０の接続口部１８内にまで充満されている加圧泡水溶液が弁２１によってせき止められている。したがって、火災が発生し、その火災熱が一定の温度以上になると、感熱作動部材２２がその火災熱により分解ないし溶解し、弁２１に対する押し付け状態が解除される。この解除に伴い、図３のように、弁２１が泡水溶液の圧力により放出口１９から前方へ押され、放出口１９が全開される。この開放された放出口１９から泡水溶液が放出され、放出口１９の前方位置にある弁２１の拡散作用曲面２１ａに当たって四方に均一に拡散され、この拡散された泡消火液は発泡用ネット２３を通過し、この通過時に空気を取り込んで発泡し、周囲に泡が均一に放射されることになる。
【００１５】
他方の分岐管１７Ｂには開放型泡ヘッド２が取り付けられ、流水検知装置７の二次側と開放型泡ヘッド２との間には泡水溶液の放出を抑えておくための一斉開放弁２５及び手動起動弁２６を設けてあり、一斉開放弁２５の一次側には泡水溶液が充填加圧され、二次側は大気圧になっている。一斉開放弁２５に接続される火災感知ヘッド２４の作動又は手動起動弁２６の開放によって一斉開放弁２５が開放されて全部の開放型泡ヘッド２から泡水溶液が一斉に泡状に放出される。
【００１６】
消火ポンプ制御盤８は消火システム制御盤（火災受信機）９と接続され、流水検知装置７からの流水検知信号を受信して加圧送水装置４へ起動信号を送るようにしている。
【００１７】
加圧送水装置４から流水検知装置７の一次側までの配管系統には、加圧送水装置４からの加圧消火水と泡原液タンク５からの泡原液とを混合して泡水溶液とする、プレッシャープロポーショナ方式などの泡消火薬剤混合装置６が設置される。
【００１８】
この泡消火薬剤混合装置６は、加圧送水装置４から流水検知装置７の一次側までの配管系統に小流量型混合器２７と大流量型混合器２８とを並列に設置してなり、小流量型混合器２７の二次側と流水検知装置７との間には常開型電動弁２９を設けて常時、小流量型混合器２７に泡水溶液が流れるようにしてある、そして、大流量型混合器２８の二次側と流水検知装置７との間には常閉型電動弁３０を設け、小流量型混合器２７には差圧スイッチ３１を設置し、小流量型混合器２７内の流量が或る流量以上に増加したときその流量増加を差圧スイッチ３１が検出し、差圧スイッチ３１からの検出信号は消火システム制御盤９に送られ、消火システム制御盤９は常閉型電動弁３０を開くと同時に常開型電動弁２９を閉じて、常閉型電動弁３０の開きにより該常閉型電動弁３０を通じて泡水溶液が大流量型混合器２８から流水検知装置７の方へ流れるようにしている。
【００１９】
しかるときは、閉鎖型泡ヘッド１の設置される防火領域Ａ内において火災が発生すると、この火災位置近傍の閉鎖型泡ヘッド１が感熱し泡水溶液を放出し、流水検知装置７から加圧送水装置４へ起動信号が送られ、加圧送水装置４が起動し、小流量型混合器２７から常開型電動弁２９を通じて泡水溶液が流水検知装置７を経て閉鎖型泡ヘッド１へ流れる。
開放型泡ヘッド２の設置される防火領域Ｂ内において火災が発生すると、火災感知ヘッド２４が作動し、一斉開放弁２５が開放される。このときは、小流量型混合器２７内に流れる泡水溶液の流量が増加するため、その流量増加を差圧スイッチ３１が検出する。差圧スイッチ３１からの検出信号は消火システム制御盤９に送られ、消火システム制御盤９は常閉型電動弁３０を開くと同時に常開型電動弁２９を閉じ、常閉型電動弁３０の開きにより該常閉型電動弁３０を通じて泡水溶液が大流量型混合器２８から流水検知装置７を経て開放型泡ヘッド２へ流れる。
【００２０】
なお、泡消火薬剤混合装置６の一次側と加圧送水装置４との間の給水本管１２途中には仕切弁３２が設けられ、この仕切弁３２の二次側には圧力空気タンク３３が分岐接続され、給水本管１２の管内圧力を常時一定圧力に保持するようにしている。閉鎖型泡ヘッド１の設置される防火領域Ａ内において火災が発生すると、この火災位置近傍の閉鎖型泡ヘッド１が感熱し泡水溶液を放出し、開放型泡ヘッド２の設置される防火領域Ｂ内において火災が発生すると、火災感知ヘッド２４が作動し、一斉開放弁２５が開放される。このため、給水本管１２及び給水支管１６内の圧力が低下し、この圧力低下を圧力空気タンク３３に設けられた圧力スイッチ３４が検出する。圧力スイッチ３４からの検出信号は消火ポンプ制御盤８に送られ、消火ポンプ制御盤８は加圧送水装置４を起動する。
【産業上の利用可能性】
【００２１】
本発明の閉鎖型泡ヘッドが設置された防火領域と開放型泡ヘッドが設置された防火領域の両方を有する一つの防火区域内での泡消火設備によれば、小流量及び大流量の各混合器から各防火領域への配管及び流水検知装置の兼用化を可能にしてあるので設備コストを著しく削減でき、例えば、自走式駐車場と機械式駐車場を併設した立体駐車場等に好適に利用できる。
【図面の簡単な説明】
【００２２】
【図１】泡消火設備の構成図である。
【図２】泡消火設備に使用する閉鎖型泡ヘッドを閉鎖状態で示す縦断正面図である。
【図３】同閉鎖型泡ヘッドを開放状態で示す縦断正面図である。
【符号の説明】
【００２３】
Ａ  防火領域
Ｂ  防火領域
１  閉鎖型泡ヘッド
２  開放型泡ヘッド
４  加圧送水装置
５  泡原液タンク
６  泡消火薬剤混合装置
７  流水検知装置（自動警報弁）
８  消火ポンプ制御盤、
９  消火システム制御盤（火災受信機）
１２  給水本管
１６  給水支管
１７Ａ、１７Ｂ  分岐管
２７  小流量型混合器
２８  大流量型混合器
２９  常開型電動弁
３０  常閉型電動弁
３１  差圧スイッチ
【図１】
2005058493.tif 000003
【図２】
2005058493.tif 000004
【図３】
2005058493.tif 000005